(57)【要約】【課題】１つの調光制御部でＰＷＭ信号とＤＡＬＩ信号のいずれにも対応できる光源駆動装置において、調光指示信号を再判定させる。【解決手段】光源駆動装置１は、入力されるＰＷＭ調光指示信号またはＤＡＬＩ調光指示信号に応じたシリアル信号を生成するインタフェース回路２と、インタフェース回路２が生成したシリアル信号が、ＰＷＭ調光指示信号およびＤＡＬＩ調光指示信号のうちいずれに基づくかを判定した結果に基づいた調光信号を生成する調光制御部３と、調光制御部３が生成した調光信号に応じて、光源１０を駆動する駆動回路部９と、ＡＣ電源がオフからオンに遷移したことを検出するＡＣ電圧検出回路１１と、ＡＣ電源のオフからオンへの遷移を検出したならば、調光制御部３に、シリアル信号がＰＷＭ調光指示信号およびＤＡＬＩ調光指示信号のうちいずれに基づくかを再判定させる再判定制御部１２とを備える。【選択図】図１
2018116858.tif 000002
【特許請求の範囲】
【請求項１】
入力される調光指示信号に応じて、電源から供給された電力により光源を駆動する光源駆動装置であって、
前記調光指示信号として入力されるＰＷＭ調光指示信号またはＤＡＬＩ（Digital Addressable Lighting Interface）調光指示信号に応じたシリアル信号を生成するインタフェース回路と、
前記インタフェース回路が生成した前記シリアル信号が、前記ＰＷＭ調光指示信号および前記ＤＡＬＩ調光指示信号のうちいずれに基づくかを判定し、該判定結果に基づいた調光信号を生成する調光制御部と、
前記調光制御部が生成した前記調光信号に応じて、前記光源を駆動する駆動回路部と、
前記電源がオフからオンに遷移したことを検出する電圧検出回路と、
前記電圧検出回路により前記電源のオフからオンへの遷移を検出したならば、前記調光制御部に、前記シリアル信号が前記ＰＷＭ調光指示信号および前記ＤＡＬＩ調光指示信号のうちいずれに基づくかを再判定させる再判定制御部と、
を備えることを特徴とする光源駆動装置。
【請求項２】
前記再判定制御部は、前記電圧検出回路により前記電源のオフからオンへの遷移を検知した後の所定期間に亘って、前記調光制御部に、前記シリアル信号が前記ＰＷＭ調光指示信号および前記ＤＡＬＩ調光指示信号のうちいずれに基づくかを再判定させる、
ことを特徴とする請求項１に記載の光源駆動装置。
【請求項３】
前記再判定制御部は、前記電圧検出回路により前記電源のオフからオンへの遷移を検知した後、前記所定期間が経過したならば、前記調光制御部に、前記シリアル信号が前記ＰＷＭ調光指示信号および前記ＤＡＬＩ調光指示信号のうちいずれに基づくかを再判定させない、
ことを特徴とする請求項２に記載の光源駆動装置。
【請求項４】
前記調光制御部は、
入力される前記シリアル信号が、前記ＰＷＭ調光指示信号または前記ＤＡＬＩ調光指示信号のうちいずれであるかを判定し、該判定結果に応じてＤＡＬＩ命令情報またはＰＷＭ調光情報を生成する情報判定部と、
前記情報判定部から前記ＤＡＬＩ命令情報が入力されたとき、該ＤＡＬＩ命令情報に基づいて、前記調光信号を生成するＤＡＬＩ調光信号生成部と、
前記情報判定部から前記ＰＷＭ調光情報が入力されたとき、該ＰＷＭ調光情報に基づいて、前記調光信号を生成するＰＷＭ調光信号生成部と、
を備えることを特徴とする請求項１ないし３のうちいずれか１項に記載の光源駆動装置。
【請求項５】
前記情報判定部は、
入力された前記シリアル信号の周期を計測し、該計測結果を出力する波形計測部と、
前記波形計測部が出力する計測結果を用いて、前記シリアル信号にＤＡＬＩフレームが含まれているか否かを判定する波形解析部と、
を備えることを特徴とする請求項４の光源駆動装置。
【請求項６】
前記波形解析部は、
入力された前記シリアル信号の周期が所定値以下でかつ、前記シリアル信号に前記ＤＡＬＩフレームが含まれていないときは、前記ＰＷＭ調光情報を前記ＰＷＭ調光信号生成部に出力し、
入力された前記シリアル信号に前記ＤＡＬＩフレームが含まれているときは、前記ＤＡＬＩ命令情報を前記ＤＡＬＩ調光信号生成部に出力する、
ことを特徴とする請求項５に記載の光源駆動装置。
【請求項７】
入力される調光指示信号に応じて、電源から供給された電力により光源を駆動する方法であって、
前記調光指示信号として入力されるＰＷＭ調光指示信号またはＤＡＬＩ調光指示信号に応じたシリアル信号を生成するシリアル信号生成ステップと、
前記シリアル信号が前記ＰＷＭ調光指示信号および前記ＤＡＬＩ調光指示信号のうちいずれに基づくかを判定し、該判定結果に基づいた調光信号を生成する調光信号生成ステップと、
前記調光信号に応じて、前記光源を駆動する駆動ステップと、
前記電源がオフからオンに遷移したことを検出する電圧検出ステップと、
前記電圧検出ステップにより前記電源のオフからオンへの遷移を検出したならば、前記シリアル信号が前記ＰＷＭ調光指示信号および前記ＤＡＬＩ調光指示信号のうちいずれに基づくかを再判定させる再判定ステップと、
を備えることを特徴とする光源駆動方法。
【発明の詳細な説明】
【技術分野】
【０００１】
本発明は、光源駆動装置および光源駆動方法に関する。
【背景技術】
【０００２】
従来、光源駆動装置に調光指示信号としてのＰＷＭ（Pulse Width Modulation）信号を入力して、そのオンデューティに応じて光源の調光をする調光方法が知られている。また、光源駆動装置に調光指示信号として０〜１０Ｖ制御信号を入力して、そのアナログ値に応じて光源の調光をする調光方法が知られている。
【０００３】
また近年、光源駆動装置に調光指示信号としてのＤＡＬＩ（Digital Addressable Lighting Interface）信号を送信して、これを制御する照明制御システム（ＤＡＬＩシステム）がヨーロッパを中心に開発されている。
【０００４】
このような光源駆動装置が前述の各方式に対応するためには、それぞれの調光方式に対応した調光制御部と、調光方式を選択するための切り替え手段を設ける必要がある。そのため、光源駆動装置を構成する部品点数が増加し、光源駆動装置自体も大型化するという問題があった。
【０００５】
このような問題を解決するものとして特許文献１、２に記載の技術がある。特許文献１には、１つの調光制御部で０〜１０Ｖ制御信号とＤＡＬＩ信号のいずれでも対応できる減光インタフェース回路が提案されている。
【０００６】
更に特許文献２には、１つの調光制御部でＰＷＭ信号とＤＡＬＩ信号のいずれにも対応できる光源駆動装置が開示されている。特許文献２に記載の光源駆動装置は、調光指示信号の受信開始時刻から１秒以上経過するまで、この調光指示信号がＰＷＭ調光指示信号およびＤＡＬＩ調光指示信号のうちいずれかを繰り返し判定する。これにより、光源駆動装置が起動した際、シリアル信号にノイズ等が重畳して誤った信号が情報判断部に入力されても、その誤った信号を排除して、正しく判定することができる。
【先行技術文献】
【特許文献】
【０００７】
【特許文献１】特表２０１２−５０７１１６号公報
【特許文献２】特開２０１５−１７３０３１号公報
【発明の概要】
【発明が解決しようとする課題】
【０００８】
特許文献１に記載の技術では、調光制御部で０〜１０Ｖ制御信号を自動判別するため、つながっていない場合に０Ｖとなってしまい、誤動作の原因となっていた。また、特許文献２に記載の技術では、繰り返しの判定処理がされた後に、更にノイズ等が重畳して誤った信号が情報判断部に入力された場合には、調光指示信号を誤判定するおそれがあった。
【０００９】
本発明はこのような問題に鑑みて行われたものであり、１つの調光制御部でＰＷＭ信号とＤＡＬＩ信号のいずれにも対応できる光源駆動装置および光源駆動方法において、調光指示信号を再判定させることを目的とする。
【課題を解決するための手段】
【００１０】
前記した課題を解決するため、（１）本発明は、入力される調光指示信号に応じて、電源から供給された電力により光源を駆動する光源駆動装置であって、前記調光指示信号として入力されるＰＷＭ調光指示信号またはＤＡＬＩ（Digital Addressable Lighting Interface）調光指示信号に応じたシリアル信号を生成するインタフェース回路と、前記インタフェース回路が生成した前記シリアル信号が、前記ＰＷＭ調光指示信号および前記ＤＡＬＩ調光指示信号のうちいずれに基づくかを判定し、該判定結果に基づいた調光信号を生成する調光制御部と、前記調光制御部が生成した前記調光信号に応じて、前記光源を駆動する駆動回路部と、前記電源がオフからオンに遷移したことを検出する電圧検出回路と、前記電圧検出回路により前記電源のオフからオンへの遷移を検出したならば、前記調光制御部に、前記シリアル信号が前記ＰＷＭ調光指示信号および前記ＤＡＬＩ調光指示信号のうちいずれに基づくかを再判定させる再判定制御部と、を備えることを特徴とする光源駆動装置を提供する。
【００１１】
（２）前記再判定制御部は、前記電圧検出回路により前記電源のオフからオンへの遷移を検知した後の所定期間に亘って、前記調光制御部に、前記シリアル信号が前記ＰＷＭ調光指示信号および前記ＤＡＬＩ調光指示信号のうちいずれに基づくかを再判定させる、ことを特徴とする（１）に記載の光源駆動装置を提供する。
【００１２】
（３）前記再判定制御部は、前記電圧検出回路により前記電源のオフからオンへの遷移を検知した後、前記所定期間が経過したならば、前記調光制御部に、前記シリアル信号が前記ＰＷＭ調光指示信号および前記ＤＡＬＩ調光指示信号のうちいずれに基づくかを再判定させない、ことを特徴とする（２）に記載の光源駆動装置を提供する。
【００１３】
（４）前記調光制御部は、入力される前記シリアル信号が、前記ＰＷＭ調光指示信号または前記ＤＡＬＩ調光指示信号のうちいずれであるかを判定し、該判定結果に応じてＤＡＬＩ命令情報またはＰＷＭ調光情報を生成する情報判定部と、前記情報判定部から前記ＤＡＬＩ命令情報が入力されたとき、該ＤＡＬＩ命令情報に基づいて、前記調光信号を生成するＤＡＬＩ調光信号生成部と、前記情報判定部から前記ＰＷＭ調光情報が入力されたとき、該ＰＷＭ調光情報に基づいて、前記調光信号を生成するＰＷＭ調光信号生成部と、を備えることを特徴とする（１）ないし（３）のうちいずれか１項に記載の光源駆動装置を提供する。
【００１４】
（５）前記情報判定部は、入力された前記シリアル信号の周期を計測し、該計測結果を出力する波形計測部と、前記波形計測部が出力する計測結果を用いて、前記シリアル信号にＤＡＬＩフレームが含まれているか否かを判定する波形解析部と、を備えることを特徴とする請求項４の光源駆動装置を提供する。
【００１５】
（６）前記波形解析部は、入力された前記シリアル信号の周期が所定値以下でかつ、前記シリアル信号に前記ＤＡＬＩフレームが含まれていないときは、前記ＰＷＭ調光情報を前記ＰＷＭ調光信号生成部に出力し、入力された前記シリアル信号に前記ＤＡＬＩフレームが含まれているときは、前記ＤＡＬＩ命令情報を前記ＤＡＬＩ調光信号生成部に出力する、ことを特徴とする（５）に記載の光源駆動装置を提供する。
【００１６】
（７）入力される調光指示信号に応じて、電源から供給された電力により光源を駆動する方法であって、前記調光指示信号として入力されるＰＷＭ調光指示信号またはＤＡＬＩ調光指示信号に応じたシリアル信号を生成するシリアル信号生成ステップと、前記シリアル信号が前記ＰＷＭ調光指示信号および前記ＤＡＬＩ調光指示信号のうちいずれに基づくかを判定し、該判定結果に基づいた調光信号を生成する調光信号生成ステップと、前記調光信号に応じて、前記光源を駆動する駆動ステップと、前記電源がオフからオンに遷移したことを検出する電圧検出ステップと、前記電圧検出ステップにより前記電源のオフからオンへの遷移を検出したならば、前記シリアル信号が前記ＰＷＭ調光指示信号および前記ＤＡＬＩ調光指示信号のうちいずれに基づくかを再判定させる再判定ステップと、を備えることを特徴とする光源駆動方法を提供する。
【発明の効果】
【００１７】
本発明によれば、１つの調光制御部でＰＷＭ信号とＤＡＬＩ信号のいずれにも対応できる光源駆動装置および光源駆動方法において、調光指示信号を再判定させることが可能となる。
【図面の簡単な説明】
【００１８】
【図１】本実施形態における光源駆動装置の概略構成を示すブロック図である。
【図２】（ａ）はＰＷＭ調光指示信号Ｓａｄｐに基づいたシリアル信号Ｒｘの波形、（ｂ）はＤＡＬＩ調光指示信号Ｓａｄｄに基づいたシリアル信号Ｒｘの波形、（ｃ）はシリアル信号Ｔｘの波形を示している。
【図３】本実施形態における情報判定部と再判定制御部の構成を示すブロック図である。
【図４】本実施形態における光源駆動方法を示したフローチャートである。
【図５】本実施形態における再判定制御部の処理を示したフローチャートである。
【図６】本実施形態における情報判定部の処理を示したフローチャートである。
【発明を実施するための形態】
【００１９】
以降、本発明を実施するための形態を、各図を参照して詳細に説明する。
図１は、本実施形態における光源駆動装置１の概略構成を示すブロック図である。
図１に示すように、光源駆動装置１は、インタフェース回路２、マイコン１４、整流回路１３、駆動回路部９を有する。マイコン１４は、ＡＣ電圧検出回路１１と、不図示のＣＰＵ（Central Processing Unit）とＲＯＭ（Read Only Memory）とＲＡＭ（Random Access Memory）を内蔵する。マイコン１４のＣＰＵがＲＯＭに格納された制御プログラムを実行することにより、調光制御部３と再判定制御部１２が具現化される。
調光制御装置３０は、調光指示信号Ｓａｄとして、ＰＷＭ調光指示信号ＳａｄｐおよびＤＡＬＩ調光指示信号Ｓａｄｄのうちいずれかを出力する。光源駆動装置１は、入力された調光指示信号Ｓａｄに基づいて光源１０を駆動するものであり、ＰＷＭ信号およびＤＡＬＩ信号に対応する。照明器具１００は、光源駆動装置１と、これによって駆動される光源１０とを含んで構成される。
【００２０】
インタフェース回路２は、入力される調光指示信号Ｓａｄに応じたシリアル信号Ｒｘを生成する。調光制御部３は、調光指示信号Ｓａｄの種類と、調光指示信号Ｓａｄに含まれる光源１０の明るさ情報に応じて、光源１０に流れる電流を変化させるものである。調光制御部３は、入力されたシリアル信号ＲｘがＰＷＭ調光指示信号ＳａｄｐおよびＤＡＬＩ調光指示信号Ｓａｄｄのうちのいずれかを判定するとともに、その指示信号に基づく大きさの調光信号Ｓｃを生成する。駆動回路部９は、入力された調光信号Ｓｃの大きさに応じて光源１０を光らせるように駆動する。
【００２１】
インタフェース回路２について詳しく説明する。ＤＡＬＩ調光指示信号Ｓａｄｄは、２線間（Ｄ＋,Ｄ−）の電位差を伝達する仕様（すなわち、差動信号）である。ＤＡＬＩ調光指示信号ＳａｄｄのＨレベル側の電圧は９．５Ｖ〜２２．５Ｖ、Ｌレベル側の電圧は−６．５Ｖ〜６．５Ｖの電圧変動幅をもっている。ＰＷＭ調光指示信号Ｓａｄｐも同様に、２線間（Ｄ＋,Ｄ−）の電位差を伝達する仕様（すなわち、差動信号）であり、その電圧差は例えば１６Ｖの電圧変動幅をもっている。
【００２２】
調光制御部３を構成するマイコン１４の入力部の電圧仕様は例えば５Ｖである。マイコン１４は、調光指示信号Ｓａｄを出力する調光制御装置３０と電気的に絶縁されていることが要求される。
インタフェース回路２は、例えばアナログ回路によって構成され、広い電圧幅をもつ調光指示信号Ｓａｄをマイコン１４の入力電圧仕様（５Ｖ以下）に対応した信号に変換する機能を有する。インタフェース回路２は更に、差動信号である調光指示信号Ｓａｄを極性のないシリアル信号Ｒｘに変換する機能を有する。インタフェース回路２は更に、調光指示信号Ｓａｄを出力する調光制御装置３０と、調光制御部３とを電気的に絶縁する機能を有する。このため、インタフェース回路２は、例えばフォトカプラを用いて構成される。
【００２３】
整流回路１３は、ＡＣ電源から供給される交流電圧Ｖｃを直流電圧Ｖｄに整流するものである。整流回路１３が整流した直流電圧Ｖｄは、これら光源駆動装置１の各部に供給される。整流回路１３は、直流電圧Ｖｄを平滑化する平滑コンデンサを備えているので、ＡＣ電源が一瞬オフしたのちにオンした場合であっても、調光制御部３や再判定制御部１２は、パワーオンリセットされない。
【００２４】
ＡＣ電圧検出回路１１は、抵抗等で構成され、交流電圧Ｖｃを検出して、その検出値Ｓｖを再判定制御部１２に出力する。
再判定制御部１２は、入力された検出値Ｓｖにより、交流電圧Ｖｃが所定値からゼロに切り替わったのち所定時間内に再び所定値に切り替わる一時停止制御を検出する。一時停止制御を検出したならば、再判定制御部１２は、調光制御部３の情報判定部４に、再判定の指示である再判定指示信号Ｓｒを出力する。具体的にいうと、再判定制御部１２は、ユーザがＡＣ電源をスイッチ等でオフ（遮断）に切り替え、所定時間内にスイッチをオンに切り替えた際に、再判定指示信号Ｓｒを出力する。
【００２５】
次に、調光制御部３について説明する。調光制御部３は、情報判定部４、ＤＡＬＩ調光信号生成部５、ＰＷＭ調光信号生成部８を備える。ＤＡＬＩ調光信号生成部５は、ＤＡＬＩフレーム制御部６、信号生成部７を備える。前述したように、マイコン１４のＣＰＵがＲＯＭに格納された制御プログラムを実行することにより、情報判定部４、ＤＡＬＩ調光信号生成部５、ＰＷＭ調光信号生成部８、再判定制御部１２が具現化される。
情報判定部４は、入力されるシリアル信号Ｒｘが、ＰＷＭ調光指示信号ＳａｄｐおよびＤＡＬＩ調光指示信号Ｓａｄｄのうちいずれであるかを判定する。更に情報判定部４は、その判定結果に応じてＤＡＬＩ命令情報ＳｄまたはＰＷＭ調光情報Ｓｐを生成する。情報判定部４は、起動後の所定期間に亘って入力されるシリアル信号Ｒｘを判定したのち、この所定期間が経過した後は、入力されるシリアル信号Ｒｘを判定しない。
【００２６】
情報判定部４は更に、再判定制御部１２から再判定指示信号Ｓｒが入力されたならば、入力されるシリアル信号Ｒｘを、一定期間に亘って再び判定する。情報判定部４は、一時停止制御を検出した際に限り再判定を行うため、再判定を所定期間に繰り返す処理に比べて、調光制御部３の処理の負荷を軽減することができる。更に、情報判定部４による誤判定が発生した際、ユーザが一時停止制御を行うことによって、再判定を実施することができる。そのため、情報判定部４による誤判定の原因究明が容易となる。例えば、ユーザが一時停止制御を行うことによって誤判定が改善されたならば、一時的に調光指示信号Ｓａｄにノイズが重畳していた可能性があることがわかる。
【００２７】
ＤＡＬＩ調光信号生成部５は、情報判定部４からＤＡＬＩ命令情報Ｓｄが入力されたとき、このＤＡＬＩ命令情報Ｓｄに基づいて、調光信号Ｓｃを生成する。具体的にいうと、ＤＡＬＩフレーム制御部６は、ＤＡＬＩ命令情報Ｓｄが入力されると、このＤＡＬＩ命令情報Ｓｄに基づいて、ＤＡＬＩ調光情報Ｓｄｐを生成する。ＤＡＬＩ命令情報Ｓｄは、ＤＡＬＩ調光情報Ｓｄｐ、命令情報、およびチャンネル情報（例えば、光源駆動装置が多数接続されたシステムにおける、光源駆動装置の識別番号やグループ番号）等を含んでいる。すなわち、ＤＡＬＩフレーム制御部６は、ＤＡＬＩ命令情報Ｓｄに含まれる情報を解析した後、調光情報であるＤＡＬＩ調光情報Ｓｄｐを出力する。また、ＤＡＬＩフレーム制御部６は、インタフェース回路２にＤＡＬＩ命令情報Ｓｄに対する応答情報であるシリアル信号Ｔｘ（後述の図２（ｃ）参照）を出力する。これにより、光源駆動装置１は、調光制御装置３０に応答する。信号生成部７は、ＤＡＬＩ調光情報Ｓｄｐが入力されると、そのＤＡＬＩ調光情報Ｓｄｐに基づいて、調光信号Ｓｃを生成する。
【００２８】
ＰＷＭ調光信号生成部８は、情報判定部４からＰＷＭ調光情報Ｓｐが入力されたとき、そのＰＷＭ調光情報Ｓｐに基づいて、調光信号Ｓｃを生成する。
駆動回路部９は、光源１０に対応した直流電力や交流電力を出力することができる周知の構成の電源装置である。すなわち、光源１０が放電灯で構成されている場合は放電灯点灯装置によって構成され、光源１０がＬＥＤで構成されている場合は、ＬＥＤ駆動装置によって構成される。
【００２９】
次に、シリアル信号Ｒｘについて説明する。
図２（ａ）は、ＰＷＭ調光指示信号Ｓａｄｐに基づいたシリアル信号Ｒｘの波形である。ＰＷＭ調光指示信号Ｓａｄｐの周期は、１ｍｓ（＝１ｋＨｚ）に設定されている。
光源駆動装置１（図１参照）は、ＰＷＭ調光指示信号Ｓａｄｐのオンデューティが大きいほど、光源１０を明るく光らせるように駆動する。
図２（ｂ）は、ＤＡＬＩ調光指示信号Ｓａｄｄに基づいたシリアル信号Ｒｘの波形を示している。図２（ｃ）は、ＤＡＬＩ調光指示信号Ｓａｄｄに基づいたシリアル信号Ｔｘの波形を示している。
ＤＡＬＩ通信規格は、マンチェスタ符号化されたＦｏｒｗａｒｄフレームおよびＢａｃｋｗａｒｄフレームと呼ばれるパルス信号を送受信することで通信が行われる。マンチェスタ符号化とは、ビット１または０の定義がＨ／Ｌといった電圧レベルではなく、電圧変化のエッジで行う符号化法のことである。ＤＡＬＩ調光指示信号Ｓａｄｄを出力する調光制御装置３０から調光制御部３に送信される信号がＦｏｒｗａｒｄフレームであり、その逆がＢａｃｋｗａｒｄフレームである。ＦｏｒｗａｒｄフレームおよびＢａｃｋｗａｒｄフレームの区間におけるパルス信号の周波数は、図２（ａ）に示したＰＷＭ信号に比べて高い周波数を含む波形となる。そのため、ＦｏｒｗａｒｄフレームおよびＢａｃｋｗａｒｄフレームの区間は、便宜的に黒く表示されている。
【００３０】
各フレームの送信タイミングの特徴は、フレーム間には所定の時間の休止区間を設定しなければならないという規則があるということである。すなわち、シリアル信号Ｒｘ（ｂ）において、ＦｏｒｗａｒｄフレームとＦｏｒｗａｒｄフレームとの間は９．１７ｍｓ以上の休止区間がある。情報判定部４（図１参照）は、この休止時間を検出することによって、シリアル信号ＲｘがＤＡＬＩ調光指示信号Ｓａｄｄに基づいた信号であることを判定可能である。なお、図２（ｂ），（ｃ）の波形は負論理（ローアクティブ）である。フレームがない場合には、信号がハイレベルになる。
【００３１】
次に、シリアル信号Ｒｘの判定方法について説明する。
図３は、本実施形態における情報判定部４と再判定制御部１２の詳細構成を示すブロック図である。図３に示すように、情報判定部４は、波形計測部２１および波形解析部２２を有する。
波形計測部２１は、例えばタイマー回路によって構成されており、入力されたシリアル信号Ｒｘの周期を計測し、その計測情報を出力する。シリアル信号Ｒｘの周期とは、信号の立ち上がりから次の立ち上がりまでの期間、または、信号の立ち下がりから次の立ち下がりまでの期間をいう。
波形解析部２２は、波形計測部２１からの計測情報を用いて、シリアル信号ＲｘにＤＡＬＩフレームが含まれているかを判定する。波形計測部２１および波形解析部２２によって、入力されたシリアル信号ＲｘがＰＷＭ調光指示信号ＳａｄｐおよびＤＡＬＩ調光指示信号Ｓａｄｄのうちいずれに基づいた信号であるかを判定することができる。
【００３２】
波形解析部２２は更に、再判定制御部１２から再判定指示信号Ｓｒが入力されたならば、シリアル信号Ｒｘを、一定期間に亘って再び判定する。情報判定部４は、一時停止制御を検出した際に限り再判定を行うため、再判定を所定期間に繰り返す処理に比べて、調光制御部３の処理の負荷を軽減することができる。更に、情報判定部４による誤判定が発生した際、ユーザが一時停止制御を行うことによって、再判定を実施することができる。そのため、情報判定部４による誤判定の原因究明が容易となる。例えば、ユーザが一時停止制御を行うことによって誤判定が改善されたならば、一時的にノイズが重畳していた可能性があることがわかる。
【００３３】
図４は、本実施形態における光源駆動方法を示したフローチャートである。
《シリアル信号生成ステップ》
ステップＳ１０において、インタフェース回路２は、調光指示信号Ｓａｄとして入力されるＰＷＭ調光指示信号ＳａｄｐまたＤＡＬＩ調光指示信号Ｓａｄｄに応じたシリアル信号Ｒｘを生成する。
【００３４】
《調光信号生成ステップ》
ステップＳ１１において、情報判定部４は、シリアル信号ＲｘがＰＷＭ調光指示信号ＳａｄｐおよびＤＡＬＩ調光指示信号Ｓａｄｄのうちいずれに基づいているかを判定し、その判定結果に基づいた調光信号Ｓｃを生成する。情報判定部４は更に、シリアル信号ＲｘがＰＷＭ調光指示信号Ｓａｄｐに基づいていると判定したならば、ＰＷＭ調光モードを設定し、シリアル信号ＲｘがＤＡＬＩ調光指示信号Ｓａｄｄに基づいていると判定したならば、ＤＡＬＩ調光モードを設定する。
【００３５】
ステップＳ１２において、情報判定部４は、ＤＡＬＩ調光モードに設定されていたならば、ステップＳ１３に進み、シリアル信号Ｒｘに基づいてＤＡＬＩ命令情報Ｓｄを生成する。ステップＳ１４において、ＤＡＬＩフレーム制御部６は、生成されたＤＡＬＩ命令情報Ｓｄに基づいてＤＡＬＩ調光情報Ｓｄｐを生成する。ステップＳ１５において、信号生成部７は、ＤＡＬＩ調光情報Ｓｄｐに基づいて調光信号Ｓｃを生成し、ステップＳ１８に進む。
【００３６】
ステップＳ１２において、情報判定部４は、ＤＡＬＩ調光モードに設定されていなかったならば、ステップＳ１６に進み、シリアル信号Ｒｘに基づいてＰＷＭ調光情報Ｓｐを生成する。ステップＳ１７において、ＰＷＭ調光信号生成部８は、生成されたＰＷＭ調光情報Ｓｐに基づいて、調光信号Ｓｃを生成し、ステップＳ１８に進む。
【００３７】
《駆動ステップ》
ステップＳ１８において、駆動回路部９は、調光信号Ｓｃに応じて、光源１０を駆動する。このようにして光源１０を駆動することにより、光源駆動装置１は、調光指示信号ＳａｄとしてのＰＷＭ信号とＤＡＬＩ信号の両方に対応して光源１０を調光することができる。
【００３８】
図５は、本実施形態における再判定制御部１２の処理を示したフローチャートである。
再判定制御部１２を構成するマイコン１４が起動すると、図５の処理が開始する。
《電圧検出ステップ》
再判定制御部１２は、ＡＣ電源の電圧を監視する（ステップＳ２０）。再判定制御部１２は、ＡＣ電源が一瞬オフしたのちにオンしたことを判定したならば（ステップＳ２１→Ｙｅｓ）、一定期間に亘って再判定指示信号Ｓｒを出力し、ステップＳ２０の処理に戻る。これにより、ユーザが一時停止制御を行った際に、再判定制御部１２は、再判定指示信号Ｓｒを出力することができる。
再判定制御部１２は、ＡＣ電源が一瞬オフしたのちにオンしたことを判定しなかったならば（ステップＳ２１→Ｎｏ）、すぐさまステップＳ２０の処理に戻る。
【００３９】
図６は、本実施形態における情報判定部４の処理を示したフローチャートである。
本実施形態では、シリアル信号Ｒｘの周期の所定値を８ｍｓ、受信開始時刻からの所定時間を１秒として説明する。
ステップＳ３０において、波形計測部２１は、シリアル信号Ｒｘを受信して、その周期の測定を開始するとともに、受信開始時刻を記憶する。また、情報判定部４は、メモリのエラーフラグ（error flag）を初期化する。波形計測部２１による受信動作は、シリアル信号Ｒｘのエッジをトリガーに開始し、ステップＳ３１−Ｓ３６における波形解析部２２の動作と並行して継続的に実行される。
【００４０】
ステップＳ３１において、波形解析部２２は、調光モードが未設定であるか、または再判定が指示されたかを判定する。ここで調光モードには、調光指示信号ＳａｄがＰＷＭ調光指示信号Ｓａｄｐに基づくと判定した「ＰＷＭ調光モード」と、調光指示信号ＳａｄがＤＡＬＩ調光指示信号Ｓａｄｄに基づくと判定した「ＤＡＬＩ調光モード」と、調光指示信号Ｓａｄがどのような形式であるか不明な「未設定」とがある。マイコン１４の起動直後において、調光モードは未設定である。
《再判定ステップ》
再判定の指示とは、波形解析部２２に再判定指示信号Ｓｒが入力されることをいう。ユーザが一時停止制御を行った際に、波形解析部２２に再判定指示信号Ｓｒが入力される。
波形解析部２２は、調光モードが未設定であるか、または再判定が指示されたならば（ステップＳ３１→Ｙｅｓ）、ステップＳ３２に進む。波形解析部２２は、調光モードが設定済みであり、かつ再判定が指示されていないならば（ステップＳ３１→Ｎｏ）、図６の処理を終了する。
【００４１】
《ＤＡＬＩフレーム判定ステップ》
ステップＳ３２において、波形解析部２２は、受信したシリアル信号Ｒｘが、ＤＡＬＩ通信規格に基づいたＤＡＬＩフレームを含んでいるか否かを判定している。
波形解析部２２は、受信したシリアル信号ＲｘにＤＡＬＩフレームが含まれると判定した場合（ステップＳ３２→Ｙｅｓ）、ＤＡＬＩ調光モードに設定（ステップＳ３３）する。これによりＤＡＬＩ命令情報ＳｄがＤＡＬＩフレーム制御部６に出力される。このとき波形解析部２２は、例えば、シリアル信号Ｒｘの立ち上がりおよび立ち下がり遷移時間やデューティサイクル（即ち、ローおよびハイの持続時間）に基づいてＤＡＬＩ通信規格に基づいたＤＡＬＩフレームを含んでいるかを判定する。
ステップＳ３２において、波形解析部２２は、受信したシリアル信号ＲｘにＤＡＬＩフレームが含まれていないと判定した場合は、ステップＳ３４に進む。
【００４２】
《周期判定ステップ》
ステップＳ３４において、波形解析部２２は、シリアル信号Ｒｘに休止区間（９．１７ｍｓ）があるか否かを判定している。すなわち、波形解析部２２は、波形計測部２１で測定した周期の計測情報から周期Ｔが８ｍｓ以下であるか否かを判定することによって、休止区間の有無を判定している。ここでシリアル信号Ｒｘの周期Ｔとは、信号の立ち上がりから次の立ち上がりまでの期間、または、信号の立ち下がりから次の立ち下がりまでの期間をいう。波形解析部２２は、シリアル信号Ｒｘの周期Ｔが８ｍｓを超えている場合（ステップＳ３４→Ｎｏ）、休止区間があると判断し、エラーフラグを立てて（ステップＳ３５）ステップＳ３６に進む。
ステップＳ３４において、波形解析部２２は、シリアル信号Ｒｘの周期Ｔが８ｍｓ以下であると判定したならば、休止区間がないと判断してステップＳ３６に進む。
【００４３】
《安定度判定ステップ》
ステップＳ３６において、波形解析部２２は、シリアル信号Ｒｘの受信を開始した時刻から１秒以上（所定時間）が経過したか否かを判定している。シリアル信号Ｒｘの受信開始時刻から１秒以上経過するまで、波形解析部２２は、ステップＳ３２の処理に戻り、ＤＡＬＩフレーム判定と周期判定を繰り返し行わせてシリアル信号Ｒｘの安定度を判定する。すなわち、波形解析部２２は、受信開始時刻から所定時間以上が経過するまで、ＤＡＬＩフレーム判定と周期判定を繰り返し行う。これにより、光源駆動装置１の起動時などに、シリアル信号Ｒｘにノイズ等が重畳して誤った信号が情報判定部４に入力された場合、その信号を排除している。更に本実施形態では、ユーザが一時停止制御を行った後、所定時間に亘って入力信号の判別を行う。ここで所定時間とは、ステップＳ３６に記載された受信後の経過時間の１秒のことをいう。
ステップＳ３７において、波形解析部２２は、エラーフラグが立っているか否かを判定している。波形解析部２２は、エラーフラグが立っているならば（ステップＳ３７→Ｙｅｓ）、ＤＡＬＩ調光モードに設定して（ステップＳ３８）、ＤＡＬＩ命令情報Ｓｄを出力する。波形解析部２２は、エラーフラグが立っていないならば（ステップＳ３７→Ｎｏ）ＰＷＭ調光モードに設定して（ステップＳ３９）、ＰＷＭ調光情報ＳｐをＰＷＭ調光信号生成部８に出力する。このようにして光源駆動装置１は、簡単な構成で、ＰＷＭ信号とＤＡＬＩ信号の両方に対応できる。
【００４４】
本実施形態によれば、光源駆動装置１は、ＰＷＭ調光指示信号ＳａｄｐまたはＤＡＬＩ調光指示信号Ｓａｄｄを調光指示信号Ｓａｄとして入力して、その調光指示信号Ｓａｄに対応するシリアル信号Ｒｘを調光制御部３に入力することができる。すなわち、それぞれの調光方式に対応した調光制御部と、調光方式を選択するための切り替え手段を備える必要がない。そのため、調光回路が簡素化できるので、その分、部品点数が削減でき、装置を小型化することができる。
【００４５】
光源駆動装置１は、ユーザがＡＣ電源をオフしたのち所定時間内に再びオンする一時停止制御を検出した際に、調光指示信号ＳａｄがＰＷＭ調光指示信号ＳａｄｐおよびＤＡＬＩ調光指示信号Ｓａｄｄのうちいずれに基づくものかを判定している。これにより、情報判定部４による誤判定の原因究明が容易となる。更に、誤判定により誤った動作を行っている光源駆動装置１に再判定を行わせることにより、調光指示信号Ｓａｄを正しく判定させることができる。
光源駆動装置１は更に、一時停止制御やパワーオンリセットから所定時間が経過すると、調光指示信号Ｓａｄの判定処理を停止する。これにより、一時停止制御やパワーオンリセットから所定時間が経過した後に、調光指示信号Ｓａｄにノイズが重畳したときでも、光源駆動装置１は、この調光指示信号Ｓａｄを誤判定することがなくなる。
【００４６】
（変形例）
本発明は、上記実施形態に限定されることなく、本発明の趣旨を逸脱しない範囲で、変更実施が可能であり、例えば、次の（ａ）〜（ｄ）のようなものがある。
（ａ）  一時停止制御の回数は１回に限定されず、所定の時間間隔で２回以上としてもよい。これにより、光源駆動装置１は、瞬時停電をユーザの一時停止制御と誤認することがなくなる。
（ｂ）  光源駆動装置１の調光制御部３とＡＣ電圧検出回路１１と再判定制御部１２を構成するマイコン１４は、ＡＣ電源を整流した直流電圧Ｖｄで駆動されている。しかし、これに限られず、光源駆動装置１のマイコン１４は、別系統の電源で駆動されてもよい。
（ｃ）  一時停止制御後の再判定時間は、１秒に限られず、任意の時間であってもよい。
（ｄ）  周期判定ステップにおける周期Ｔの判定時間は、８ｍｓに限定されない。ＤＡＬＩのＦｏｒｗａｒｄフレーム間のインターバル（例えば９．１７ｍｓ）と、ＰＷＭ周期（例えば１ｍｓ）とが識別可能な任意の時間間隔であってもよい。
【符号の説明】
【００４７】
１  光源駆動装置
２  インタフェース回路
３  調光制御部
４  情報判定部
５  ＤＡＬＩ調光信号生成部
６  ＤＡＬＩフレーム制御部
７  信号生成部
８  ＰＷＭ調光信号生成部
９  駆動回路部
１０  光源
１１  ＡＣ電圧検出回路
１２  再判定制御部
１３  整流回路
１４  マイコン
２１  波形計測部
２２  波形解析部
３０  調光制御装置
１００  照明器具
Ｒｘ  シリアル信号
Ｔｘ  シリアル信号
Ｓａｄｄ  ＤＡＬＩ調光指示信号
Ｓａｄｐ  ＰＷＭ調光指示信号
Ｓａｄ  調光指示信号
Ｓｃ  調光信号
Ｓｄ  ＤＡＬＩ命令情報
Ｓｐ  ＰＷＭ調光情報
Ｓｄｐ  ＤＡＬＩ調光情報
Ｓｖ  検出値
Ｓｒ  再判定指示信号
Ｖｄ  直流電圧
Ｖｃ  交流電圧
【図１】
2018116858.tif 000003
【図２】
2018116858.tif 000004
【図３】
2018116858.tif 000005
【図４】
2018116858.tif 000006
【図５】
2018116858.tif 000007
【図６】
2018116858.tif 000008